(57)【要約】【課題】照射距離が短い近距離の場合であっても色ムラの発生が少なく、所望の色の照射光が容易に得られる照明装置を提供する。【解決手段】光の照射口としての開口を有するリフレクタケースと、該リフレクタケースの底面側に配設された光源と、リフレクタケースの開口に配設された拡散板とを備え、光源が光の三原色のＬＥＤで形成されると共に、拡散板に例えば格子状の凹凸部が設けられていることを特徴とする。前記三原色のＬＥＤは、直線状に組となりかつこれが複数組直線状に配置され、前記拡散板は、板厚方向に積層配置され凸条部と凹条部からなる凹凸部の形態が異なる複数の拡散板で形成される。【選択図】  図２
2004362887.tif 000002
【特許請求の範囲】
【請求項１】
光の照射口としての開口を有するリフレクタケースと、該リフレクタケースの底面側に配設された光源と、前記リフレクタケースの開口に配設された拡散板とを備え、前記光源が光の三原色のＬＥＤで形成されると共に、前記拡散板に凹凸部が設けられていることを特徴とする照明装置。
【請求項２】
前記三原色のＬＥＤは、直線状に組となりかつこれが複数組直線状に配置されていることを特徴とする請求項１に記載の照明装置。
【請求項３】
前記凹凸部は、拡散板に形成された凸条部と凹条部とからなると共に、前記拡散板が、板厚方向に複数積層して配置されていることを特徴とする請求項１または２に記載の照明装置。
【請求項４】
前記複数の拡散板は、ＬＥＤの配置方向と略平行する方向に延びる凸条部と凹条部とからなる凹凸部が設けられた拡散板と、ＬＥＤの配置方向と略直交する方向に延びる凸条部と凹条部とからなる凹凸部が設けられた拡散板とを含むことを特徴とする請求項３に記載の照明装置。
【請求項５】
前記照明装置は、浴室内に配設されて浴室内の装飾用に使用されることを特徴とする請求項１ないし４のいずれかに記載の照明装置。
【発明の詳細な説明】
【０００１】
【発明の属する技術分野】
本発明は、例えばユニットバスルーム等の浴室に使用して好適な照明装置に係わり、特に、浴室内をその照射光によって装飾し得る照明装置に関する。
【０００２】
【従来の技術】
従来、光源としてＬＥＤを使用した装飾用の照明装置としては、例えば図７及び図８に示すものが知られている。この照明装置１０１は、プリント基板１０２上に光の三原色の色を放つ赤色ＬＥＤ１０３ａと緑色ＬＥＤ１０３ｂ及び青色ＬＥＤ１０３ｃの３個のＬＥＤ１０３ａ〜１０３ｃを、直線状に組として、かつこれを複数組直線状に配置して光源１０３を形成し、この光源１０３の各色のＬＥＤ１０３ａ〜１０３ｃの点灯で、照明装置１０１全体から所定の色の照射光が得られるようになっている。なお、この種の照明装置としては、例えば特許文献１に開示されている。
【０００３】
【特許文献１】
特開平７−１２９０９９号公報
【０００４】
【発明が解決しようとする課題】
しかしながら、このような照明装置１０１においては、プリント基板１０２上に三原色の各色のＬＥＤ１０３ａ〜１０３ｃを単に直線状に配置しているのみであるため、照明装置１０１の照明光に、特に照射距離が短い近距離の場合、色ムラが発生し易く、装飾に相応しい所望の色の照射光を得ることが困難であるという問題点を有している。
【０００５】
本発明は、このような事情に鑑みてなされたもので、その目的は、照射距離が短い近距離の場合であっても色ムラの発生が少なく、所望の色の照射光が容易に得られる照明装置を提供することにある。
【０００６】
【課題を解決するための手段】
かかる目的を達成すべく、本発明のうち請求項１に記載の発明は、光の照射口としての開口を有するリフレクタケースと、該リフレクタケースの底面側に配設された光源と、前記リフレクタケースの開口に配設された拡散板とを備え、前記光源が光の三原色のＬＥＤで形成されると共に、前記拡散板に凹凸部が設けられていることを特徴とする。
【０００７】
このように構成することにより、光の三原色の色を放つ各ＬＥＤからの照射光は、リフレクタケースの内面で反射されつつ、該ケースの開口から該開口に配設された拡散板で拡散されて外部に照射される。この時、拡散板に凹凸部が設けられていることから、照射光が所定方向に均一かつ良好に拡散され、照射距離が近い場合であっても、照射光の色ムラが抑えられ、所望の色の照射光が容易に得られる。
【０００８】
そして、前記三原色のＬＥＤは、請求項２に記載の発明のように、直線状に組となりかつこれが複数組直線状に配置されていることが好ましい。このように構成することにより、各色のＬＥＤが直線状に配置されることから、装飾用として好適な帯状もしくは糸状の照明装置が容易に得られる。
【０００９】
また、請求項３に記載の発明のように、前記凹凸部が、拡散板に形成された凸条部と凹条部とからなると共に、前記拡散板が、板厚方向に複数積層して配置されていることが好ましく、この場合、前記複数の拡散板は、請求項４に記載の発明のように、ＬＥＤの配置方向と略平行する方向に延びる凸条部と凹条部とからなる凹凸部が設けられた拡散板と、ＬＥＤの配置方向と略直交する方向に延びる凸条部と凹条部とからなる凹凸部が設けられた拡散板とを含むことが好ましい。
【００１０】
このように構成することにより、凹凸部が拡散板に形成された凸条部と凹条部とからなると共に、拡散板が板厚方向に複数積層して配置されていることから、各拡散板の凸条部と凹条部とからなる凹凸部の形状を所定に設定することで、所望の拡散状態が容易に得られる。また、ＬＥＤの配置方向と略平行する方向に延びる凹凸部としての凸条部及び凹条部が形成された拡散板と、ＬＥＤの配置方向と略直交する方向に延びる凹凸部としての凸条部及び凹条部が形成された拡散板とを使用することで、凹凸部を格子状に形成できて、例えば直線状に配置されたＬＥＤの照射光を一層良好に拡散できる。
【００１１】
また、前記照明装置は、請求項５に記載の発明のように、浴室内に配設されて浴室内の装飾用に使用されることが好ましい。このように構成することにより、浴室内の例えば天井パネルやミラーパネル等の適宜位置に照明装置が配設されることから、浴室内に光による装飾を容易に施すことができて、入浴者が光によるリラクゼーション効果を得ることができる。
【００１２】
【発明の実施の形態】
以下、本発明の実施の形態を図面に基づいて詳細に説明する。
図１〜図６は、本発明に係わる照明装置の一実施形態を示し、図１が該照明装置を使用した浴室の内部斜視図、図２が照明装置の縦断面図、図３がその平面図、図４〜図６が拡散板を示す図である。
【００１３】
図１において、ユニットバスルームとしての浴室１は、防水パン２と、４枚の壁パネル３ａ〜３ｄ（壁パネル３ｄは図示せず）及び例えばドーム型の２枚の天井パネル４ａ、４ｂによって略箱状に形成され、前記防水パン２の壁パネル３ａ側には浴槽５が設置されると共に、この浴槽５の側方の防水パン２上には洗い場６が設けられている。また、洗い場６の壁パネル３ｂ側にはカウンター７が設けられ、このカウンター７上方の壁パネル３ｂには、水栓操作部９、シャワー１０、ミラー１１、ダウンライト１２、収納棚１３等が一体的に組み込まれたミラーパネル８が配置されている。
【００１４】
そして、この浴室１のミラーパネル８上方の天井パネル４ａには、ミラーパネル８との連結部となる端部に照明装置１５が配設されている。この照明装置１５は、図２及び図３に示すように、リフレクタケース１６と、このケース１６内に配設された光源１７と、リフレクタケース１６の照射口となる開口１６ａに配設された拡散板１９等を備えている。前記リフレクタケース１６は、例えば樹脂や金属等によって底面を形成する底部１６ｂと反射面２０を形成する側部１６ｃを有する細長い箱状に形成され、反射面２０は例えば反射性に優れた白色塗料で塗装されている。
【００１５】
このリフレクタケース１６の底部１６ｂ上には、前記光源１７としての複数のＬＥＤ１７ａ〜１７ｃが実装されたプリント基板１８が図示しないネジや接着剤等によって固定されている。複数のＬＥＤ１７ａ〜１７ｃは、光の三原色の色を放つ、赤色ＬＥＤ１７ａと緑色ＬＥＤ１７ｂ及び青色ＬＥＤ１７ｃを直線状に配置して組となし、この一組の各色のＬＥＤ１７ａ〜１７ｃを横方向に直線状に連設することにより、照明装置１５の外形形状が平面視で所定長さＬの帯状になるように構成されている。なお、プリント基板１８の回路には、電源供給用のリード線２１の端部が接続され、このリード線２１はリフレクタケース１６の所定位置から引き出されて、例えばＰＷＭ制御が可能な図示しない照明電源としてのコントロールユニットに接続されている。
【００１６】
前記リフレクタケース１６の開口１６ａには、前記拡散板１９が配設されている。この拡散板１９は、上下方向に積層されると共にその裏面に凹凸部２２ａ、２２ｂが形成された一対の拡散板１９ａ、１９ｂで形成されている。すなわち、上方の拡散板１９ａには、図４に示すように、その裏面に長手方向に沿って一定間隔で延びる複数条の凸条部２２ａ１と凹条部２２ａ２とからなる凹凸部２２ａが形成され、下方の拡散板１９ｂには、図５に示すように、その裏面に幅方向に沿って一定間隔で延びる複数条の凸条部２２ｂ１と凹条部２２ｂ２とからなる凹凸部２２ｂが形成されている。
【００１７】
そして、この上下の拡散板１９ａ、１９ｂが、図６の矢印イの如く上下方向に積層されて、リフレクタケース１６の開口１６ａに例えば接着固定されること等により配設され、この上下２枚の拡散板１９ａ、１９ｂにより、平面視で見た場合に拡散板１９に格子状の凹凸部２２が形成されていることになる。
【００１８】
なお、この拡散板１９ａ、１９ｂは、リフレクタケース１６の開口１６ａに図示しない溝や突起を設け、これらを利用して所定位置に固定配置されることが好ましい。また、凹凸部２２ａ、２２ｂの凸条部２２ａ１、２２ｂ１と凹条部２２ａ２、２２ｂ２の幅や間隔は、各拡散板１９ａ、１９ｂの全域に亘って一定で設けられるが、例えば所望する照射光に応じて、各拡散板１９ａ、１９ｂの長手方向で凸条部２２ａ１、２２ｂ１と凹条部２２ａ２、２２ｂ２の幅や間隔を異ならせたり、図２の二点鎖線で示すように、凸条部２２ａ１、２２ｂ１や凹条部２２ａ２，２２ｂ２を断面円弧形状に限らず断面三角形状に形成するようにしても良い。さらに、凹凸部２２ａ、２２ｂを、拡散板１９ａ、１９ｂの裏面ではなく、表面に形成して同様の作用効果を得ることもできる。
【００１９】
この照明装置１５は、帯状に形成されたリフレクタケース１６を天井パネル４ａの端部に固着するか、もしくはミラーパネル８の上端部に固着することで、ミラーパネル８と天井パネル４ａの連結部にその長手方向の略全域に亘り配設される。そして、リフレクタケース１６から引き出されたリード線２１の先端を天井パネル４の中央上面に配設された前記コントロールユニットに接続することにより、照明装置１５が浴室１に設置される。
【００２０】
なお、前記コントロールユニットには、照明装置１５の各ＬＥＤ１７ａ〜１７ｃに供給されるパルスの幅を制御するＰＷＭ制御回路等が内蔵され、浴室１の壁パネル３ｃ外面でドア近傍に配設された図示しないリモコンの操作により、ＰＷＭ制御回路から照明装置１５の各ＬＥＤ１７ａ〜１７ｃに所定幅のパルス電圧が供給されるようになっている。
【００２１】
そして、この照明装置１５は、入浴者が入浴しようとして例えば浴室１に入る前に、前記リモコンに設けられた装飾照明スイッチをオン操作すると共に調光釦（いずれも図示せず）を所定位置に操作設定すると、照明装置１５の光源１７が点灯して各色のＬＥＤ１７ａ〜１７ｃが所定の色で光り、照明装置１５から所定の色と光量（明るさ）の照射光が浴室１内の所定方向に照射される。この時、各ＬＥＤ１７ａ〜１７ｃから放たれた光は、リフレクタケース１６の反射面２０によって反射されつつ、該ケース１６の開口１６ａに設けられた拡散板１９で拡散され、リフレクタケース１６外である浴室１内に効率的に照射される。
【００２２】
また、上下の拡散板１９ａ、１９ｂにそれぞれ形成された所定方向の凹凸部２２ａ、２２ｂにより、拡散板１９に格子状の凹凸部２２が形成されていることから、この格子状の凹凸部２２で各色のＬＥＤ１７ａ〜１７ｃの光が所定方向（例えば全周方向）に良好に拡散され、照明装置１５からの照射光の照射距離が浴室１内のように短い場合であっても、色ムラの発生が抑えられて所定色と所定光量の照射光が得られる。この照射光を入浴者が例えば浴槽５に入り身体を温めつつ視認することにより、光によるリラクゼーション効果が得られることになる。
【００２３】
このように、上記実施形態の浴室１の照明装置１５にあっては、光の三原色のＬＥＤ１７ａ〜１７ｃをリフレクタケース１６内に配置すると共に、該ケース１６の開口１６ａに凹凸部２２を有する拡散板１９が配設されているため、ＬＥＤ１７ａ〜１７ｃからの光がリフレクタケース１６の反射面２０で反射されつつ、拡散板１９で効率的に拡散して浴室１内に照射され、照射距離が比較的短い浴室１内においても、光源１７による光ムラの発生を極力防止できて、浴室１内に所望の良好な装飾光を得ることができる。
【００２４】
特に、拡散板１９に平面視で格子状の凹凸部２２が形成されているため、ＬＥＤ１７ａ〜１７ｃの光を一層効率的に拡散できて、浴室１内に照射される照射光を良好な状態とすることができる。また、各色のＬＥＤ１７ａ〜１７ｃが直線状に配置され、これが複数組直線状に連設されているため、帯状の光源１７を容易に得ることができて、照明装置１５を天井パネル４ａとミラーパネル８間にすっきりと配置できて、浴室１内に帯状に光る効果的な装飾光を得ることができ、特にミラーパネル８のダウンライト１２や図示しない主照明装置等と関連付けて点灯させることにより、浴室１内に一層良好な装飾光が得られる。
【００２５】
さらに、三原色のＬＥＤ１７ａ〜１７ｃを直線状に配置し、各色に供給される電圧のパルス幅がコントロールユニットによって制御されるため、全ての色の照射光が得られると共にその光量も調整できて、例えばリモコンに設けた調光釦の操作で、浴室１内に入浴者の好みに応じた色と光量の照射光を容易に得ることができる。これらにより、照明装置１５の装飾光を入浴者が浴槽５で入浴中に視認することで、光によるリラクゼーション効果が得られて、快適な入浴を行うこと等が可能になる。
【００２６】
また、拡散板１９が上下２枚の拡散板１９ａ、１９ｂを積層配置することにより形成されているため、各拡散板１９ａ、１９ｂに直線状の凸条部２２ａ１、２２ｂや凹条部２２ａ２、２２ｂ２からなる凹凸部２２ａ、２２ｂを形成することで、全体として格子状の凹凸部２２を得ることができて、各拡散板１９ａ、１９ｂへの凹凸部２２ａ、２２ｂの形成が容易となり、各拡散板１９ａ、１９ｂを安価に形成できると共に、例えば各拡散板１９ａ、１９ｂに斜めや波形、曲線状の凸条部２２ａ１、２２ｂ１や凹条部２２ａ２、２２ｂ２を設けて平面視で略格子状とする等、各種形状の凹凸部２２にも簡単かつ安価に対応することができる。
【００２７】
またさらに、照明装置１５の光源１７としてＬＥＤ１７ａ〜１７ｃが使用されているため、その消費電力を少なくして省エネ化を図ることができると共に、ＬＥＤ１７ａ〜１７ｃ自体の発熱を極めて小さくして、照明装置１５を浴室１の適宜位置に簡単に設置することができる。また、照明装置１５がリモコンの操作で点灯・消灯したり調光制御できるため、照明装置１５自体の操作性の向上が図れると共に、使用電源の容量を小さくしたりコントロールユニットの構成を簡略化し、前述した省エネ化等と併せ、安価な照明装置１５を得ることが可能になる。
【００２８】
なお、上記実施形態においては、帯状の照明装置１５を天井パネル４ａとミラーパネル８間に配設することで、ミラーパネル８の上部に装飾光が得られる構成としたが、本発明はこれに限定されるものではなく、例えば図１の二点鎖線で示すように、照明装置１５をミラーパネル８のミラー１１後方のミラーパネル表面もしくはミラー１１裏面に配設して、その照射光をミラー１１とミラーパネル８の表面間で形成される空間内に照射し、ミラー１１裏面もしくはミラー１１側方に装飾光が得られる構成としても良い。
【００２９】
また、照明装置１５をミラーパネル８の下部に配設される水栓操作部９のプッシュ式もしくはタッチ式の操作カバー部分に配設し、水栓操作部９が操作された際に、すなわち操作カバーが操作された際に点灯して、操作状態を入浴者に感知させたり水栓周りに装飾光が得られる構成としても良い。さらに、照明装置１５を浴槽５の洗い場６側の側面で、バスタブエプロン２３やカウンタエプロン２４の上端部に配設して、洗い場６と浴槽５の境界を入浴者に確実に感知させたり該境界部分に装飾光が得られる構成しても良い。
【００３０】
このように、本発明の照明装置１５は、浴室１内を装飾し得る適宜部位に配設することができ、その際、リフレクタケース１６の長さや幅は配設部位の形態に応じて適宜に設定され、例えば所定長さのリフレクタケース１６を複数個連設することにより、帯状もしくは糸状の照明装置１５として使用することもできる。この場合、例えばリフレクタケース１６として変形可能なケースを使用すると共にプリント基板１８としてフレキシブル基板を使用し、照明装置１５全体を変形可能に構成し、これらを設置部位の形状に応じて変形させつつ設置する構成とし、設置の容易化を図ることもできる。
【００３１】
また、上記実施形態においては、照明装置１５を浴室１に配設する場合について説明したが、本発明は浴室１への適用に限らず、他の分野への適用も勿論可能である。さらに、上記実施形態における、リフレクタケース１６の長さや幅、高さ等の形状、ＬＥＤの個数、各色のＬＥＤの配設状態、拡散板の枚数等も一例であって、本発明に係わる各発明の要旨を逸脱しない範囲において適宜に変更することができる。
【００３２】
【発明の効果】
以上詳述したように、請求項１に記載の発明によれば、リフレクタケースの底部側に三原色のＬＥＤからなる光源が配設され、リフレクタケースの開口に凹凸部を有する拡散板が配設されているため、各色のＬＥＤの照射光が拡散板で所定方向に均一かつ良好に拡散されつつ照射され、照射距離が近い場合であっても、照射光の色ムラの発生が抑えられ、所望の色の照射光を容易に得ることができる。
【００３３】
また、請求項２に記載の発明によれば、請求項１に記載の発明の効果に加え、各色のＬＥＤが直線状に組となりかつこれが複数組直線状に配置されるため、装飾用として好適な帯状もしくは糸状の照明装置を容易に得ることができる。
【００３４】
また、請求項３に記載の発明によれば、請求項１または２に記載の発明の効果に加え、凹凸部が拡散板に形成された凸条部と凹条部とからなると共に、拡散板が板厚方向に積層して配置されるため、各拡散板の凹凸部の形状を所定に設定することで、照射光に所望の拡散状態を容易に得ることができる。
【００３５】
また、請求項４に記載の発明によれば、請求項３に記載の発明の効果に加え、複数の拡散板が、ＬＥＤの配置方向と略平行する方向に延びる凸条部と凹条部とからなる凹凸部が設けられた拡散板と、ＬＥＤの配置方向と略直交する方向に延びる凸条部と凹条部とからなる凹凸部が設けられた拡散板とを含むため、凹凸部を格子状に形成できて、例えば直線状に配置されたＬＥＤの照射光を一層良好に拡散することができる。
【００３６】
また、請求項５に記載の発明によれば、請求項１ないし４に記載の発明の効果に加え、浴室内の例えば天井パネルやミラーパネル等の適宜位置に照明装置が配設されるため、浴室内に光による装飾を容易に施すことができて、入浴者に光によるリラクゼーション効果が得られる等の効果を奏する。
【図面の簡単な説明】
【図１】本発明に係わる照明装置を使用した浴室の内部斜視図
【図２】同照明装置の縦断面図
【図３】同その平面図
【図４】同拡散板の平面図
【図５】同他の拡散板の平面図
【図６】同拡散板の斜視図
【図７】従来の照明装置の側面図
【図８】同その平面図
【符号の説明】
１・・・・・・・・・・・浴室
３ａ〜３ｄ・・・・・・・壁パネル
４ａ、４ｂ・・・・・・・天井パネル
５・・・・・・・・・・・浴槽
９・・・・・・・・・・・水栓操作部
８・・・・・・・・・・・ミラーパネル
１１・・・・・・・・・・ミラー
１５・・・・・・・・・・照明装置
１６・・・・・・・・・・リフレクタケース
１６ａ・・・・・・・・・開口
１６ｂ・・・・・・・・・底部
１６ｃ・・・・・・・・・側部
１７・・・・・・・・・・光源
１７ａ・・・・・・・・・赤色ＬＥＤ
１７ｂ・・・・・・・・・緑色ＬＥＤ
１７ｃ・・・・・・・・・青色ＬＥＤ
１８・・・・・・・・・・プリント基板
１９・・・・・・・・・・拡散板
１９ａ、１９ｂ・・・・・拡散板
２０・・・・・・・・・・反射面
２２・・・・・・・・・・凹凸部
２２ａ、２２ｂ・・・・・凹凸部
２２ａ１、２２ｂ１・・・凸条部
２２ａ２、２２ｂ２・・・凹条部
２３・・・・・・・・・・バスタブエプロン
２４・・・・・・・・・・カウンタエプロン
【図１】
2004362887.tif 000003
【図２】
2004362887.tif 000004
【図３】
2004362887.tif 000005
【図４】
2004362887.tif 000006
【図５】
2004362887.tif 000007
【図６】
2004362887.tif 000008
【図７】
2004362887.tif 000009
【図８】
2004362887.tif 000010